(57)【要約】  【課題】  両面画像読取装置に着脱可能な平型読取部を設け、取り外した平型読取部を単独で使用可能にするとともに、平型読取部を取り外した後の画像読取装置でも、連続搬送される原稿の読み取りを可能にする。１台で、多種の読み取りモードを使い分けすることを可能にする。  【解決手段】  第１の読取手段を有する着脱可能な平型読取部を設ける。平型読取部を取り外した後の開口部から原稿が落下することを防止する落下防止部材を設ける。原稿を第１の読取手段で走査して読み取る第１の読み取りモードと、連続搬送される原稿を停止させた第１の読取手段で読み取る第２の読み取りモードとを有する。第２の読み取りモードのときに原稿の裏面を第２の読取手段で連続読み取り可能とする。平型読取部を取り外した状態で第２の読取手段で連続読み取りする第３の読み取りモードを設ける。【選択図】  図１
2007243885.tif 000002
【特許請求の範囲】
【請求項１】
原稿台ガラスに置かれた原稿を第１の読取手段で走査して読み取る第１の読み取りモードと、原稿積載部から搬送される原稿を停止させた前記第１の読取手段で読み取る第２の読み取りモードとを有し、前記第２の読み取りモードのときに、前記第１の読取手段の反対側に配置された第２の読取手段で前記搬送される原稿の反対側の面を読み取り可能な画像読取装置において、
前記原稿台ガラス及び前記第１の読取手段は装置本体に着脱可能な平型読取部に設けられ、
前記平型読取部を装置本体から取り外したときに、前記搬送される原稿が前記原稿台ガラスが位置していた箇所から落下することを防止する落下防止部材を具備することを特徴とする画像読取装置。
【請求項２】
前記平型読取部を取り外したとき、前記搬送される原稿の反対側の面を前記第２の読取手段で読み取り可能であることを特徴とする請求項１に記載の画像読取装置。
【請求項３】
前記落下防止部材は、前記搬送される原稿の搬送路に沿って配置された透明シートであることを特徴とする請求項１又は２に記載の画像読取装置。
【請求項４】
前記落下防止部材は、平型読取部との干渉を避けた退避位置と前記搬送される原稿の落下を防止するセット位置との間で移動可能であり、前記平型読取部を取り外したときに前記退避位置から前記セットに移動させることを特徴とする請求項１〜３のいずれか１項に記載の画像読取装置。
【請求項５】
前記落下部材には前記搬送される原稿の搬送路を形成する平面部が設けられ、該平面部は、該落下防止部材が前記セット位置にあるとき、前記原稿台ガラスが存在していた位置にあることを特徴とする請求項４に記載の画像読取装置。
【請求項６】
前記原稿積載部の原稿は、１枚ずつ分離されて前記第２の読取手段及び前記第１の読取手段を通して連続的に搬送可能であることを特徴とする請求項１〜５のいずれか１項に記載の画像読取装置。
【請求項７】
前記平型読取部が装着された状態では、前記原稿積載部から搬送される原稿が前記原稿台ガラスの近傍を通過することを特徴とする請求項１〜６のいずれか１項に記載の画像読取装置。
【発明の詳細な説明】
【技術分野】
【０００１】
本発明は、イメージスキャナ、ファクシミリ、複写機などの原稿を読み取る機能を有する画像読取装置に関する。
【背景技術】
【０００２】
従来よりイメージスキャナ、ファクシミリ、複写機等の画像を読み取る機能を有する画像読取装置においては、様々な読取方式が提案され、実施されている。以下に、その例を説明する。図９は従来の画像読取装置の縦断面図であり、画像読取装置がイメージスキャナである場合を示す。図９のイメージスキャナは、原稿台ガラス１０１上に置かれた原稿Ｐ１０１の画像を読み取る第１の読み取りモードと、原稿積載トレイ１０３上に積載された紙葉上の原稿Ｐ１０２を読み取る第２の読み取りモードとを有する。
【０００３】
第１の読み取りモードでは、不図示の駆動手段により第１の読取手段１０２を位置Ｘ１から位置Ｘ２まで移動させる（走査する）ことにより原稿台ガラス１０１の上に置かれた原稿Ｐ１０１を読み取っていく。第２の読み取りモードでは、トレイ１０３上に積載された原稿Ｐ１０２を分離ローラ１０５により１枚ずつ分離するとともに、分離された原稿を第１の搬送ローラ対１０７及び第２の搬送ローラ対１０８により排紙トレイ１０４まで搬送する。この間に、搬送部に固定されている第２の読取手段１２０と所定位置に停止させた第１の読取手段１０２によって、搬送される原稿Ｐ１０２の裏面と表面を読み取っていく。
【０００４】
すなわち、第２の読み取りモードでは、積載された原稿Ｐ１０２のうち最下位の原稿１枚を分離ローラ１０５と分離パッド１０６によって分離し、分離された原稿は第１の搬送ローラ対１０７によって搬送される。搬送される間に、第２の読取手段１２０によって原稿Ｐ１０２の裏面（上面）の画像を読み取っていき、さらに、位置Ｘ１に停止している第１の読取手段１０２により原稿Ｐ１０２の表面（下面）の画像を読み取っていく。
【０００５】
こうして表裏の画像を読み取られた原稿Ｐ１０２は、第２の搬送ローラ対１０８により排紙トレイ１０４に排出される。次の原稿Ｐ１０２が分離ローラ１０５と分離パッド１０６により分離され、第１の搬送ローラ対１０７により搬送されてくると、同様にして原稿Ｐ１０２の裏と表を読み取っていく。このような構成の画像読取装置は、例えば特許文献１に開示されている。
【特許文献１】特開平１１−２７５０７号公報
【発明の開示】
【発明が解決しようとする課題】
【０００６】
上記従来例の構成では、原稿台ガラス上に置いた原稿を読む第１の読み取りモードと原稿積載部から搬送される原稿を読み取る第２の読み取りモードの２つの読み取りモードを有するため、両方を使途に合わせて使い分けられる点では大変便利である。しかし、２つの機能を１つの装置で構成しているために装置自体が大型化するという不都合があった。また、原稿の取りまわしが困難であったり、画像読取装置の持ち運びが困難であるなどの課題があった。
【０００７】
本発明はこのような技術的課題に鑑みてなされたものである。本発明の目的は、１台で、多種の読み取りモードを使い分けすることができ、しかも可搬性に優れた画像読取装置を提供することである。また、本発明の目的は、平型読取部を着脱可能にして上、取り外した平型読取部と平型読取部を取り外した後の装置本体との双方とも、それぞれ単独で読み取り可能な利便性の高い画像読取装置を提供することである。
【課題を解決するための手段】
【０００８】
本発明に係る画像読取装置は、原稿台ガラスに置かれた原稿を第１の読取手段で走査して読み取る第１の読み取りモードと、原稿積載部から搬送される原稿を停止させた前記第１の読取手段で読み取る第２の読み取りモードとを有する。さらに、前記第２の読み取りモードのときに、前記第１の読取手段の反対側に配置された第２の読取手段で前記搬送される原稿の反対側の面を読み取り可能に構成されている。そこで、本発明によれば、前記原稿台ガラス及び前記第１の読取手段は装置本体に着脱可能な平型読取部に設けられる。また、前記平型読取部を装置本体から取り外したときに、前記搬送される原稿が前記原稿台ガラスが位置していた箇所から落下することを防止する落下防止部材を具備する構成が採られる。
【発明の効果】
【０００９】
本発明によれば、１台の画像読取装置で、積載した原稿を連続して読み取り可能な読み取りモードと、取り外した平型読取部により本や大型の原稿を読み取り可能な読み取りモードとを使い分けすることができる。さらに、平型読取部を取り外した後の装置本体においても積載した原稿の連続読み取りが可能となる。平型読取部と装置本体の双方で単独に読み取りが可能となり、利便性を大幅に向上させることができる。
【発明を実施するための最良の形態】
【００１０】
以下、図面を参照して本発明の実施形態を具体的に説明する。なお、各図面を通して同一符号は同一又は対応部分を示すものである。図１は本発明による画像読取装置の一実施形態の縦断面図である。図１は、本発明による画像読取装置をコンピュータ等に原稿画像を取り込むイメージスキャナに適用する場合を例示する。図１において、本画像読取装置は、原稿台ガラス１上に画像面（表面）を下面にしてセットされた原稿Ｐ１を原稿台ガラス１に沿って移動する第１の読取手段２により読み取る第１の読み取りモードを有する。また、本画像読取装置は、原稿送り読取部７によって原稿積載トレイ３から排紙トレイ４へ搬送される原稿Ｐ２の裏表の両面の画像を、搬送部に固定された第２の読取手段５と停止している第１の読取手段２とによって読み取る第２の読み取りモードを有する。
【００１１】
図１には、前述の２つの読み取りモードのうち、第２の読み取りモードで画像を読み取るときの状態が示されている。図示の画像読取装置は、大きく分けて、第１の読み取りモードのときに使用する平型読取部６と第２の読み取りモードのときに使用する原稿送り読取部７を有する。原稿台ガラス１及び第１の読取手段２は平型読取部６に設けられており、原稿積載部３及び第２の読取手段５は原稿送り読取部７に設けられている。原稿送り読取部７は装置本体側（スタンド８上）に固定されており、平型読取部６は装置本体又は原稿送り読取部７に対して着脱可能に組み付けられている。また、本実施形態では、平型読取部及び原稿送り読取部の結合体は、スタンド８により、原稿台ガラス１が斜めになる状態で保持されている。ただし、この原稿台ガラス１は、必ずしも斜めにする必要はなく、水平状態など他の角度姿勢であっても良いが、原稿台ガラスを斜め、あるいは、立てて保持することにより、設置面積を小さくすることができる。
【００１２】
原稿送り読取部７には、原稿積載部であるトレイ３上の原稿Ｐ２を１枚ずつ分離し、排紙トレイ４まで搬送する分離搬送機構が設けられている。すなわち、原稿積載トレイ３の出口部には、原稿Ｐ２をスキャンするために順次１枚ずつ分離して給送する分離ローラ１０及び分離パッド１１が設けられている。分離ローラ１０はゴムローラ等で形成されており、分離パッドはゴムシート等で形成されており、これらは圧接されている。分離ローラ１０は、不図示の駆動手段で回転駆動され、積載された原稿Ｐ２のうち接する側の１枚を送り出し、分離パッド１１はそれ以外の原稿が送り出されないように停止させる機能を有する。分離ローラ１０の下流側には、分離された原稿を第２の読取手段５へ搬送する第１の搬送ローラ対１２、１３が配設されている。第１の搬送ローラ対の下流側に配設された第２の読取手段５によって原稿Ｐ２の裏面（図示の上面）の画像を読み取る。
【００１３】
第２の読取手段５は、発光ダイオード（ＬＥＤ）からなる光源と、セルフォックレンズ及びライン受光センサからなるＣＩＳセンサで構成されている。ここでは、ＣＩＳセンサが使用されているが、これは、冷陰極管などの光源と、数枚の光路折り返しミラー、結像レンズ及びＣＣＤラインセンサからなる縮小光学系の読取手段を用いるなど、他の構成のものであっても良い。この第２の読取手段５の下流側には、原稿Ｐ２を排紙トレイ４へ搬送する第２の搬送ローラ対１４、１５が配設されている。このような構成により、原稿積載部３からの原稿Ｐ２は、１枚ずつ分離されて第２の読取手段５及び第１の読取手段２を通して連続的に搬送することができる。この際に、両読取手段５、２により原稿Ｐ２の裏表両面の画像を読み取ることができる。
【００１４】
平型読取部６は、原稿台ガラス１及び第１の読取手段２をフレームに組み付けた構成を有する。原稿台ガラス１の上には、原稿Ｐ１が表面（読み取り面）を下にして載置される。第１の読取手段２は、原稿台ガラス１の下側に沿って不図示の駆動手段により位置Ｘ１から位置Ｘ２まで駆動されることで、原稿Ｐ１の表面を走査して画像を読み取る。前記原稿送り読取部７の第２の読取手段５は、平型読取部６の第１の読取手段２に対し、原稿の反対側に配設されている。この第１の読取手段２も、第２の読取手段５と同様、ＣＩＳセンサで構成されている。なお、第１の読取手段２も、縮小光学系の読取手段を用いるなど、他の構成のものであっても良い。
【００１５】
画像読取装置は、ＵＳＢケーブル５１を介してコンピュータＰＣ１に接続されており、該コンピュータにより制御される。本実施形態では、第２の読取手段５にＡＣアダプタが設けられている。平型読取部６を装着した状態で、電源はＡＣアダプタより供給される。そして、パソコンＰＣ１からの通信により、平型読取部６に接続されたＵＳＢケーブル５１を介して、第１の読取手段２及び第２の読取手段５を動作させるように構成されている。
【００１６】
図２は図１の画像読取装置において平型読取部を着脱するときの状態を示す縦断面図である。図３は図１の画像読取装置から取り外した平型読取部を別の場所でフラットベッドスキャナとして使用する状態を示す縦断面図である。図４は図１の画像読取装置において平型読取部を取り外した後の装置本体側の状態を示す縦断面図である。図２〜図４において、本実施形態に係る画像読取装置は、図２に示すように、第１の読取手段２を有する平型読取部６を装置本体（又はその原稿送り読取部７）から取り外し可能になっている。取り外した平型読取部６は、持ち運び可能であり、他の場所でも使用可能である。
【００１７】
図３に示すように、平型読取部６にはＵＳＢ端子２１が設けられており、取り外した平型読取部は、ＵＳＢ端子２１からケーブル２２により別のコンピュータＰＣ２に接続して使用することができる。このとき、装置本体から切り離された平型読取部６は、コンピュータＰＣ２のＵＳＢから電源を供給されことにより駆動される。つまり、取り外した平型読取部６は、フラットベッドスキャナとして、別の場所でも独立して使用可能である。一方、平型読取部を取り外された後の画像読取装置は、図４に示すように、原稿積載部（トレイ）３から搬送される原稿Ｐ２の片面（裏面）を第２の読取手段５によって読み取ることができる。
【００１８】
図５は図１の画像読取装置の原稿送り読取部７における落下防止部材２６を示す部分縦断面図である。図５において、原稿送り読取部７のカバーの下部（下カバー）２４の下側端部２４ａと第２の搬送ローラ対１４、１５を軸支するハウジング２５の上側端部２５ａとの間には、原稿Ｐ２の下面（表面）の画像を読み取るための開口部３５が形成されている。つまり、この開口部３５は、平型読取部６が装着された状態で、Ｘ１位置に停止している第１の読取手段２によって原稿Ｐ２を読み取るためのものであり、原稿Ｐ２の搬送路の一部に形成されている。そこで、本実施形態においては、この開口部３５は、下カバー２４及びハウジング２５に固着された透明なプラスチックシート２６によって塞がれている。このプラスチックシート２６は、平型読取部６を取り外した後の状態で第２の読取手段５により原稿Ｐ２を読み取るときに、原稿Ｐ２が開口部３５から落下することを防止する原稿落下防止部材として機能するものである。
【００１９】
以下に、図１〜図５を用いて、本実施形態に係る画像読取装置の動作を説明する。例えばプリントアウトした複数枚の原稿、あるいは本や雑誌等の頁を切り取って紙葉状にしたものをスキャンする場合は、使用者は、通常、第２の読み取りモードを選択する。使用者は、原稿積載部であるトレイ３上に原稿Ｐ２をセットする。使用者がコンピュータＰＣ１により原稿読み取り開始を指示すると、ＰＣ１は原稿送り読取部７の分離ローラ１０の駆動を開始する。これにより、積載トレイ３上の原稿Ｐ２の最下位の１枚が第１の搬送ローラ対１２、１３に給送され、この第１の搬送ローラ対により第２の読取手段５を通して搬送される。第２の読取手段により、原稿Ｐ２の裏面（図示の上面）の画像が読み取られる。
【００２０】
次いで、搬送される原稿Ｐは、位置Ｘ１に停止している第１の読取手段２を通して搬送され、第１の読取手段により原稿Ｐ２の表面（図示の下面）の画像が読み取られる。この際の第１の読取手段２の停止位置Ｘ１は、原稿台ガラス１の下端又はその近傍の位置に設定されている。第１の読取手段２を通過した原稿Ｐ２は、第２の搬送ローラ対１４、１５により搬送された後、排紙トレイ４上へ排出される。このようにして積載トレイ３に積載されている全ての原稿が読み取られるまで上記動作が繰り返された後、画像読み取り動作を終了する。以上の動作により、原稿積載部３から搬送される原稿Ｐ２の両面の画像を連続的に読み取っていくことができる。本実施形態では、図示するように、原稿積載部３から搬送されてくる原稿Ｐ２は原稿台ガラス１の近傍を通過するように構成されている。従って、第２の読取手段５及び第１の読取手段２による両面読み取り機構を容易に構成することができる。
【００２１】
例えば本や雑誌などの厚手原稿、新聞などの原稿台ガラスより大きな原稿、あるいはプリント写真などのローラでダメージを与えたくない原稿を読み取る場合は、通常、使用者は第１の読み取りモードを選択する。この際は、使用者は、図２及び図３に示すように、平型読取部６を装置本体から取り外し、この平型読取部を別のコンピュータＰＣ２にＵＳＢケーブル２２で接続する。そして、原稿台カバー２３を開け、原稿Ｐ１を原稿台ガラス１上にセットする。原稿をセットした後、原稿台カバー２３を閉める。使用者がコンピュータＰＣ２により原稿読み取り開始を指示すると、第１の読取手段２は、不図示の駆動手段により位置Ｘ１から位置Ｘ２まで駆動され、原稿Ｐ１の表面を走査してその画像を読み取る。なお、この際の平型読取部６の電源は、ＵＳＢ端子２１に接続されるケーブル２２を介してコンピュータＰＣ２から供給されるので、その他の電源コードやＡＣアダプタなどは不要である。
【００２２】
本実施形態では、図４に示すように平型読取部６を取り外した後の画像読取装置でも、次のような第３の読み取りモードによる画像の読み取りが可能である。このときは、使用者は原稿Ｐ２を読み取り面を図示の上面にして原稿積載トレイ３にセットする。使用者がコンピュータＰＣ１により原稿読み取り開始を指示すると、ＰＣ１は原稿送り読取部７の分離ローラ１０の駆動を開始する。これにより、積載トレイ３に積載された原稿Ｐ２の最下位の１枚が第１の搬送ローラ対１２、１３に給送され、この第１の搬送ローラ対により第２の読取手段５を通して搬送される。この際に、第２の読取手段５により原稿Ｐ２の画像が読み取られる。
【００２３】
このとき、図５に示すように、原稿送り読取部７の下カバー２４の下側端部（下流側端部）２４ａと第２の搬送ローラ対１４、１５のハウジング２５の上側端部（上流側端部）２５ａとの間には空間３５が存在する。この空間３５は、前述のように透明なプラスチックシート２６により塞がれている。このプラスチックシート２６は、原稿Ｐ２が開口部３５から落下することを防止する落下防止部材として機能する。このため、平型読取部６を取り外した状態でも、原稿積載部３から搬送される原稿Ｐ２は、その先端部が原稿台ガラス１が外された箇所から落下することなく、また、紙ジャムを生じることなく、搬送路に沿って安定した状態で搬送される。
【００２４】
従って、第２の読取手段５によって読み取られる原稿Ｐ２は透明なプラスチックシート２６の上面に沿って案内され、落下することなく第２搬送ローラ対１４、１５の間へ導入される。そして、原稿Ｐ２は、第２の搬送ローラ対により安定した状態で搬送され、排紙トレイ４へ排出される。このような動作が積載トレイ３上の全ての原稿Ｐ２が読み取られるまで繰り返された後、一連の画像読取動作を終了する。なお、このような第３の読み取りモードでは、平型読取部６が取り外されているため、原稿Ｐ２の両面が読み取られることはなく、第２の読取手段５による片面（図示の上面）読み取りとなる。
【００２５】
以上説明した実施形態によれば、１台の画像読取装置で、以上のような第１の読み取りモード、第２の読み取りモード及び第３の読み取りモードを自由に使い分けすることができる。ここで、第１の読み取りモードは、装置本体から取り外した平型読取部６において第１の読取手段２で原稿Ｐ１を走査して片面を読み取るモードである。第２の読み取りモードは、平型読取部６を装着した状態で原稿送り読取部７の第２の読取手段５と平型読取部６の第１の読取手段２によって原稿Ｐ２の両面を連続読み取りするモードである。第３の読み取りモードは、平型読取部６を取り外した画像読取装置で原稿送り読取部７の第２の読取手段５によって原稿Ｐ２の片面を連続読み取りするモードである。また、取り外した平型読取部６と平型読取部を取り外した後の画像読取装置のそれぞれで、単独で読み取りが可能であり、単独で持ち運び可能であるので、利便性を大幅に向上させることができる。
【００２６】
図６は本発明による画像読取装置の第２の実施形態の縦断面図である。図７は図６の画像読取装置において平型読取部を取り外した後の状態を示す縦断面図である。図８は図７の画像読取装置の原稿送り読取部７における落下防止部材３０がセット位置Ｚ２にある状態を示す部分縦断面図である。なお、図６〜図８において、図１〜図５と同じ符号で示す部分は、これらと実質的に同じ構成及び機能を有する部分である。第１の実施形態では、原稿Ｐ２の落下を防止するための落下防止部材として透明なプラスチックシート２６を使用したが、本実施形態では、これに代えて、平面部３０ａを有する可動式の落下防止部材３０が使用されている。この平面部３０ａは、平型読取部６を取り外したときに、該平型読取部の原稿台ガラス１が存在していた位置と同じ位置にセットされることで、搬送路の一部を形成するものである。
【００２７】
図６〜図８において、落下防止部材３０は揺動可能なレバー状部材で形成され、その先端部に平面部３０ａが設けられている。落下防止部材３０は、スタンド８の支点８ａを中心に回動可能にかつ退避位置Ｚ１及び使用位置Ｚ２で位置決め保持可能に取り付けられている。この位置決め保持手段としては、ばね式係合機構やボールラッチ機構などの機械式のものや、磁石式のものなど、周知の機構を使用することができる。平型読取部６が装着されているときは、図６に示すように、落下防止部材３０は平型読取部６との干渉を避けた退避位置（非セット位置）Ｚ１に保持されている。
【００２８】
平型読取部６を取り外した画像読取装置を使用する場合は、平型読取部を取り外した後に、使用者が落下防止部材３０を退避位置Ｚ１からセット位置Ｚ２へ動かす。これにより、落下防止部材３０は図７及び図８に示すようにセット位置Ｚ２に位置決め保持される。落下防止位置であるセット位置Ｚ２では、原稿落下防止部材３０の平面部３０ａは、平型読取部６が装着された状態で原稿台ガラス１が存在していた位置と同じ位置にセットされる。つまり、平面部３０ａは、原稿送り読取部７の下カバー２４の下側端部２４ａと第２の搬送ローラ対１４、１５のハウジング２５の上側端部２５ａとの間の空間３５を塞ぐことで、原稿Ｐ２の搬送路の一部を形成する位置にセットされる。
【００２９】
こうして、平面部３０ａは、前述の透明プラスチックシート２６と同様、原稿Ｐ２が開口部３５から落下することを防止する落下防止手段として機能する。このため、平型読取部６を取り外した状態でも、原稿積載部３から搬送される原稿Ｐ２は、その先端部が原稿台ガラス１が外された箇所から落下することなく、搬送路に沿って安定した状態で搬送される。図６〜図８の第２の実施形態は、以上説明した以外の点では、図１〜図５に示した第１の実施形態と実質的に同じ構成を有する。
【００３０】
このような第２の実施形態によれば、第１の実施形態の場合と同様、平型読取部６を取り外した場合でも、原稿落下防止部材３０をセット位置Ｚ２に動かすことにより、取り外さない場合と実質的に同じ搬送経路が形成される。このため、平型読取部６を取り外した状態で、原稿Ｐ２を読み取るために連続して搬送する場合でも、原稿Ｐ２を所定の搬送パスに沿って、紙ジャムを生じることなく安定した状態で搬送することができる。従って、第２の実施形態によっても、第１の実施形態の場合と同様、１台の画像読取装置で、第１の読み取りモード、第２の読み取りモード及び第３の読み取りモードを自由に使い分けすることができる。また、同様に、取り外した平型読取部６と平型読取部を取り外した後の画像読取装置のそれぞれで、単独で読み取りが可能であり、単独で持ち運び可能であるので、利便性を大幅に向上させることができる。
【図面の簡単な説明】
【００３１】
【図１】本発明による画像読取装置の第１の実施形態の縦断面図である。
【図２】図１の画像読取装置において平型読取部を着脱するときの状態を示す縦断面図である。
【図３】図１の画像読取装置から取り外した平型読取部を別の場所でフラットベッドスキャナとして使用する状態を示す縦断面図である。
【図４】図１の画像読取装置において平型読取部を取り外した後の装置本体側の状態を示す縦断面図である。
【図５】図１の画像読取装置の原稿送り読取部における落下防止部材を示す部分縦断面図である。
【図６】本発明による画像読取装置の第２の実施形態の縦断面図である。
【図７】図５の画像読取装置において平型読取部を取り外した後の状態を示す縦断面図である。
【図８】図７の画像読取装置の原稿送り読取部における落下防止部材がセット位置にある状態を示す部分縦断面図である。
【図９】従来の画像読取装置の縦断面図である。
【符号の説明】
【００３２】
１      原稿台ガラス
２      第１の読取手段
３      原稿積載部
４      排紙トレイ
５      第２の読取手段
６      平型読取部
７      原稿送り読取部
８      スタンド
２６    落下防止部材（透明プラスチックシート）
３０    落下防止部材（レバー状部材）
【図１】
2007243885.tif 000003
【図２】
2007243885.tif 000004
【図３】
2007243885.tif 000005
【図４】
2007243885.tif 000006
【図５】
2007243885.tif 000007
【図６】
2007243885.tif 000008
【図７】
2007243885.tif 000009
【図８】
2007243885.tif 000010
【図９】
2007243885.tif 000011